(57)【要約】【課題】繁雑な再読み取り作業が抑え、読み取り業務全体の効率化を図ることが可能な画像文書管理システム、スキャナ、スキャナドライバ、文書フォーマット、画像文書管理ソフト、及び文書管理ソフトを提供する。【解決手段】原稿からイメージデータを取得する際に複数の画質モードでイメージデータを取得し、複数の画質モードのイメージデータを各ページごとに関連付けてファイルを作成する。そして、イメージデータのプレービューでは、属性情報に基づいて表示する画質モードのイメージを表示し、異なる画質モードのイメージに切りかえられると、選択された画質モードを属性情報に記録する。  【選択図】  図１２
2006094036.tif 000002
【特許請求の範囲】
【請求項１】
原稿をスキャンしてイメージデータを取得するスキャナと、
複数の画質モードの指定を受け付け、前記スキャナで前記原稿を１ページ読み取るごとに指定した複数の画質モードで画像処理したイメージを生成するスキャナドライバと、
複数のイメージデータを文書の１ページとして対応づける管理ソフトと
を有する読み取り装置と
を具備することを特徴とする画像文書管理システム。
【請求項２】
複数の画質モードの指定を受け付け、スキャナで原稿を１ページ読み取るごとに指定した複数の画質モードで画像処理したイメージを生成するスキャナドライバと、
複数のイメージデータを文書の１ページとして対応づける管理ソフトと
を具備することを特徴とする読み取り装置。
【請求項３】
複数の画質モードの指定を読み取り装置で受け付け、
スキャナで取得したイメージデータを指定された複数の前記画質モードで変換する
ことを特徴とするスキャナドライバ。
【請求項４】
原稿からイメージデータを取得し、
前記イメージデータを複数の画質モードで変換してスキャナドライバに送信する
ことを特徴とするスキャナ。
【請求項５】
スキャナで取得したイメージデータから作成された画質モードの異なる複数のイメージデータを１つのページに対応づける
ことを特徴とする文書フォーマット。
【請求項６】
１つのページに対応づけられた複数のイメージデータから１つのイメージデータを選択して表示する処理と、
表示されている前記イメージデータの切り替えを受け付け、表示されているイメージデータと同じページに関連付けられている他のイメージデータを選択して表示する処理と
をコンピュータに実行させることを特徴とする文書管理ソフト。
【請求項７】
優先画質モードを判断し、前記優先画質モードのイメージデータを選択して表示する処理をさらに行わせることを特徴とする請求項６記載の文書管理ソフト。
【請求項８】
選択されている前記イメージデータを印刷出力する処理をさらに行わせることを特徴とする請求項６又は７記載の文書管理ソフト。
【発明の詳細な説明】
【技術分野】
【０００１】
本発明は、画像文書管理システム、スキャナ、スキャナドライバ、文書フォーマット、画像文書管理ソフト、及び文書管理ソフトに関し、特に、再読み取りを抑えることが可能な画像文書管理システム、スキャナ、スキャナドライバ、文書フォーマット、画像文書管理ソフト、及び文書管理ソフトに関する。
【背景技術】
【０００２】
原稿をスキャナで読み取り、各ページを画像としてファイル保存し、文書単位で管理する画像文書管理システムがある（例えば、特許文献１参照）。
【０００３】
画像文書管理システムのスキャナには、ＡＤＦと呼ばれる自動原稿送り装置が装備され、多数のページをもつ原稿を自動でページ送りし、連続して読み取ることで、読み取り作業を効率的にすることが多い。
【０００４】
スキャナの読み取り作業を指示するプログラム(スキャナドライバ)では、原稿の種類に応じて数種類の読み取り画質モードが用意され、そのうちの１つを指定できる。原稿がビジネス文書であれば「テキストと線画」モードで、写真が多い原稿では、「写真」モードで読み取るように指定する。
【０００５】
ところで、大量の原稿を読み取って電子的に管理する作業では、読み取り作業と読み取ったイメージの画質をチェックする検品作業を別のオペレータが行うことが多い。
【０００６】
図１３は、従来の原稿を読み取り、電子的に管理する際の処理を示すフローチャートである。
【０００７】
まず、原稿がＡＤＦにセットされる（ステップ２００）と、読み取りを行う画質モードを選択し（ステップ２０１）、選択された画質モードで原稿を読み取り（ステップ２０２）、イメージデータを保存する（ステップ２０３）。
【０００８】
そして、イメージが読み直しされない場合（ステップ２０４でＮＯ）は、文書としてイメージデータを登録し（ステップ２０５）、イメージが読み直しされる場合（ステップ２０４でＹＥＳ）は、イメージデータを差し替え（ステップ２０６）、文書として登録する（ステップ２０５）。
【０００９】
ここで、文書データが読み取り作業を行うオペレータから検品作業を行うオペレータに受け渡される（ステップ２０７）。
【００１０】
そして、イメージデータの検品を行い（ステップ２０８）、イメージの画質に問題がない（ステップ２０９でＹＥＳ）と、処理を終了し、イメージの画質に問題があると（ステップ２０９でＮＯ）、読み直しを行うページを特定する（ステップ２１０）。
【００１１】
また、読み取り作業を行うオペレータに読み直しを行うページを連絡し（ステップ２１１）、読み取り作業を行うオペレータは、読み直しを行う原稿のページを抽出して（ステップ２１２）、抽出した原稿をＡＤＦにセットし（ステップ２００）、原稿の読み取りを行う。
【特許文献１】特開２００１−０５７６３９号公報
【発明の開示】
【発明が解決しようとする課題】
【００１２】
しかし、ＡＤＦに一度にセットされる原稿のページ数が多いと、例えば「テキスト」のみのページや「写真」中心のページなどが混在していることが多い。このような場合、ユーザが指定した１つの読み取り画質モードでは、すべてのページを最適な画質で読み取ることができない。
【００１３】
また、不良画質のイメージは、読み取りの後工程である検品作業時に発見される。画質に対する要求が非常に高いユーザにとって、不良画質のイメージは許容できない。
【００１４】
従って、該当するページに相当する原稿ページをスキャナにセットし直し、正しい画質モードで再度読み取ったあと、既にシステムで管理されている文書の一部と差し替える作業が必要であり、繁雑であった。
【００１５】
さらに、読み取り作業と検品作業は別のオペレータが異なった場所で行うことも多く、この場合、読み直す原稿ページと理由を読み取り作業オペレータに告げて、再読み取りを行い、読み直されたイメージを既に存在する文書データの一部と差し替える作業が必要なため、全体の作業効率を著しく低下させる原因となっていた。
【００１６】
そこで本発明では、繁雑な再読み取り作業が抑え、読み取り業務全体の効率化を図ることが可能な画像文書管理システム、スキャナ、スキャナドライバ、文書フォーマット、画像文書管理ソフト、及び文書管理ソフトを提供することを目的とする。
【課題を解決するための手段】
【００１７】
本発明における画像文書管理システムは、原稿をスキャンしてイメージデータを取得するスキャナと、複数の画質モードの指定を受け付け、前記スキャナで前記原稿を１ページ読み取るごとに指定した複数の画質モードで画像処理したイメージを生成するスキャナドライバと、複数のイメージデータを文書の１ページとして対応づける管理ソフトとを有する読み取り装置とを具備する。
【００１８】
また、本発明における読み取り装置は、複数の画質モードの指定を受け付け、スキャナで原稿を１ページ読み取るごとに指定した複数の画質モードで画像処理したイメージを生成するスキャナドライバと、複数のイメージデータを文書の１ページとして対応づける管理ソフトとを具備する。
【００１９】
また、本発明におけるスキャナドライバは、複数の画質モードの指定を読み取り装置で受け付け、スキャナで取得したイメージデータを指定された複数の前記画質モードで変換する。
【００２０】
また、本発明におけるスキャナは、原稿からイメージデータを取得し、前記イメージデータを複数の画質モードで変換してスキャナドライバに送信する。
【００２１】
また、本発明における文書フォーマットは、スキャナで取得したイメージデータから作成された画質モードの異なる複数のイメージデータを１つのページに対応づける。
【００２２】
また、本発明における文書管理ソフトは、１つのページに対応づけられた複数のイメージデータから１つのイメージデータを選択して表示する処理と、表示されている前記イメージデータの切り替えを受け付け、表示されているイメージデータと同じページに関連付けられている他のイメージデータを選択して表示する処理とをコンピュータに実行させる。
【００２３】
また、優先画質モードを判断し、前記優先画質モードのイメージデータを選択して表示する処理をさらに行わせる。
【００２４】
さらに、選択されている前記イメージデータを印刷出力する処理をさらに行わせる。
【発明の効果】
【００２５】
本発明では、原稿の再読み取り作業を減らし、読み取り作業の効率化を図ることが可能となる。
【発明を実施するための最良の形態】
【００２６】
以下、本発明に係る画像文書管理システム、スキャナ、スキャナドライバ、文書フォーマット、画像文書管理ソフト、及び文書管理ソフトを実施するための最良の形態について、添付図面を参照して詳細に説明する。
【００２７】
図１は、本発明における画像文書管理システムの一例を示す概略構成図であり、同図に示すように、読み取り装置である読み取り作業用のホストＰＣ(personal computer)１０と、検品装置である検品作業用のホストＰＣ２０と、画像形成装置３０とがＬＡＮ(Local Area Network)などのネットワーク４０を介して接続する。
【００２８】
また、読み取り作業用ホストＰＣ１０には、スキャナ５０が接続されており、スキャナ５０には、ＡＤＦ５１が設けられている。
【００２９】
ホストＰＣ１０は、原稿を読み取る際に複数の画質モードを指定することが可能なスキャナドライバと、スキャナで読み取った画像を管理する管理ソフトとを有する。
【００３０】
また、ホストＰＣ２０は、スキャナで読み取った画像を管理する管理ソフトとを有する。
【００３１】
スキャナドライバは、複数の読み取り画質モードを指定することが可能であり、スキャナで１ページ読み取るごとに指定した複数の画質モードで画像処理したイメージを生成してホストＰＣ１０に記憶・保存する。
【００３２】
管理ソフトは、原稿１ページから生成・記憶された複数のイメージを文書の１ページとして対応づける。すなわち、システム上で文書の各ページをプレビュー表示する場合には、図２にプレビューを表示する際のＵＩ(user interface)の一例を示すように、いずれかの画質モードで読み取ったイメージを表示し、ユーザにとって、複数のイメージが存在することを意識させないＵＩを表示する。
【００３３】
また、このＵＩには、複数の画質モードで読み取って１つのページに対応づけられている他の画質イメージに手動で切り替える手段（図２で示す「イメージ切り替えボタン」１）をもち、選択されたイメージは、文書内の属性として保存され、文書の印刷を指示すると、切り替えたイメージが該当するページとして印刷される。
【００３４】
図３は、本発明における文書フォーマットの構成を示すブロック図である。
【００３５】
同図に示すように、本発明における文書フォーマットでは、各ページごとに画質モードが異なる複数のイメージデータが関連づけられており、また、文書ファイル全体、及び各ページごとに属性情報が記録される。
【００３６】
属性情報としては、プレビュー時に表示する優先イメージや、ページイメージとして記憶している画質モードなど、ページやファイルに関する情報が記憶される。
【００３７】
スキャナ５０は、ＡＤＦ５１で原稿を給紙し、スキャナドライバを用いてホストＰＣ１０で指定された複数の画質モードで原稿を読み取り、原稿を読み取ったイメージデータをホストＰＣ１０に送信する。
【００３８】
上記構成を用いて、本発明における画像文書管理システムでは、原稿を複数の画質モードで読み取って、複数の画質のイメージデータを取得し、１つのページに複数のイメージデータを関連づけて保存する。
【００３９】
そして、プレビュー表示では、文書属性に基づいて、いずれかの画質モードで読み取ったイメージを表示し、他の画質イメージに切り替えると、選択されたイメージを文書属性として保存する。
【実施例１】
【００４０】
本実施例では、原稿をスキャナで読み取り、複数の画質のイメージを生成する際の処理について説明する。
【００４１】
ユーザはＡＤＦに原稿をセットする。スキャナドライバの設定画面で、ＡＤＦにセットした原稿の種類に応じた複数の読み取り画質モードを選択したあと、［読み取り］ボタンを押して読み取りを開始する。
【００４２】
ＡＤＦから原稿が1ページずつ紙送りされ、スキャナの読み取り部にある光学センサーによって、電子的な信号(ＲＡＷデータ)に変換される。
【００４３】
ＲＡＷデータを、スキャナドライバで指定された複数の画質モードで画像処理し、複数のイメージデータを生成する。
【００４４】
図４は、スキャナの光学センサで読み取られたＲＡＷイメージデータをスキャナ内のバッファメモリに一時記憶し、指定された複数の画質モードで画像処理を行ったあと、複数回ホストＰＣにデータ転送する方式を示す概念図である。
【００４５】
本方式では、スキャナ内に１ページ分以上のＲＡＷイメージデータを記憶する容量を持つページバッファメモリをもち、光学センサで原稿から読み取られたＲＡＷイメージはページ単位でバッファメモリに記憶される。
【００４６】
そして、バッファメモリに記憶された１ページ分のＲＡＷデータは、スキャナドライバから受け取った複数の読み取り画質モードの情報に従って、スキャナ内部に用意された画像処理アルゴリズムによって複数回画像処理される。
【００４７】
各画像処理が終了すると、処理結果のイメージデータを、ホストＰＣとスキャナをつなぐＳＣＳＩケーブルなどの信号線を通じて、ホストＰＣのスキャナドライバへ転送する。
【００４８】
画像処理イメージを受け取ったスキャナドライバは、ＴＩＦＦなどのイメージファイルフォーマットに整形して、画像ファイルとして保存する。
【００４９】
本方式では、これら一連の処理をスキャナ本体での画像処理ごとに行う。
【００５０】
本方式では、スキャナ本体に、ページバッファメモリと画像処理アルゴリズムを実行するＡＳＩＣが必要となり、コスト的には高価になるが、スキャナドライバでの処理が簡略化されるため、システム全体でのパフォーマンスという点で有利である。
【００５１】
図５は、読み取られたＲＡＷイメージデータをそのままホストＰＣに転送し、スキャナドライバで複数回の画像処理を行ってイメージを生成する方式を示す概念図である。
【００５２】
本方式では、ＡＤＦから紙送りされ、光学的に読み取られたＲＡＷイメージデータを、そのままＳＣＳＩケーブルなどの信号線を通じて、スキャナドライバへ転送する。
【００５３】
そして、スキャナドライバでは、ドライバ内の画像処理アルゴリズムを呼び出し、指定された画質モードでＲＡＷイメージデータを逐次画像処理する。
【００５４】
複数回画像処理された結果は、ＴＩＦＦなどのイメージファイルフォーマットに整形して、画像ファイルとして保存する。
【００５５】
本方式では、スキャナ内部にページバッファメモリを用意する必要がないため、コスト的なメリットがある。
【００５６】
また、ＲＡＷイメージデータが信号線を通るのは、１度だけであり、信号線の転送速度が遅い場合には、図４で説明した方式に比べてパフォーマンスの向上が得られる。
【００５７】
図６は、ラインごとに読み取られたＲＡＷイメージデータを、画像処理してホストＰＣに転送する方式を示す概念図である。
【００５８】
本方式では、ＡＤＦから紙送りされたページを光学センサでラインごとに読み取る。
【００５９】
そして、ラインごとに読み取られたＲＡＷラインデータは、ラインバッファに一時的に記憶され、指定された画質モードの数だけ、画像処理ＡＳＩＣから読み出されて処理された後、ＳＣＳＩケーブルなどの信号線経由でホストＰＣのスキャナドライバへ転送される。
【００６０】
スキャナドライバは、ページを構成する画像処理済みラインデータが全てそろうと、１ページ分のイメージデータに再構成した後、ＴＩＦＦなどのイメージフォーマットで保存する。
【００６１】
本方式では、スキャナのＡＳＩＣでの画像処理に必要となる分だけの比較的容量の少ないラインデータバッファメモリのみが必要であり、図４で説明した方式に比べてコスト的に有利である。
【００６２】
通常、この種の画像処理で使用される８ｘ８ビクセルの画像フィルタを使用する場合には、例えば８ライン分のラインデータバッファメモリがあればよい。
【００６３】
Ａ４原稿を６００dpi ＬＥＦで読み取る場合を考えると、ページ全体で約４９６０ライン必要であるため、１ページ分のバッファ容量の約０.１６％（＝８／４９６０）のメモリのみで実装可能である。
【００６４】
ホストＰＣへの画像処理済みラインデータの転送は、選択された画質モードの数だけ、１ラインごとに複数回行われる。
【００６５】
なお、スキャナに転送バッファメモリを用意した場合には、後述する非同期イメージデータ転送制御方式も、図４乃至６を用いて説明した各イメージデータ生成方式で利用することが可能である。
【実施例２】
【００６６】
本実施例では、スキャナとホストＰＣのスキャナドライバとの間でイメージデータ転送を行う際の制御について説明する。
【００６７】
イメージデータを転送する際の制御方式としては、読み取り操作とデータ転送を同期して行う同期転送制御方式と、読み取り操作とデータ転送を非同期で行う非同期転送制御方式とがある。
【００６８】
同期転送制御方式としては、実施例１で図４を用いて説明したように、画像処理ごとに一連の処理を行う方式であり、光学的な読み取りで得られるイメージデータがスキャナドライバに転送されてから次の読み取りを実行するため、データ転送制御アルゴリズムが最も簡単であるが、パフォーマンス上不利である。
【００６９】
図７は、非同期転送制御方式の処理の流れを示す概念図である。
【００７０】
非同期転送制御方式では、光学的な読み取りで得られるイメージデータがスキャナドライバに転送完了する前に次の読み取りを開始する。
【００７１】
この制御方式では、データ転送が完了する前に次の読み取りが開始されるため、転送中のデータと新たに読み取ったデータを記憶する分の容量を転送バッファメモリにキャッシュする必要があり、少なくとも、これらのデータを記憶するだけ容量を有する転送バッファメモリを必要とする。
【００７２】
また、データ転送中にエラーが発生した場合に、再度データ転送を行ったり、転送バッファメモリの空き容量が少なくなった場合に、新たな読み取りを一時的に停止したりするフロー制御アルゴリズムが必要である。
【実施例３】
【００７３】
本実施例では、スキャナドライバの読み取り設定画面で、複数の読み取り画質モードを指定する方法について説明する。
【００７４】
複数の読み取り画質モードを指定する方法としては、例えば、複数の画質モードを手動で選択する方法と、予めシステムに登録しておいた複数種類のモードを自動で読み出して選択する方法と、過去の読み取り作業の傾向に従って、画質モードの優先順位を学習し、上位数種類を自動で選択する方法とがある。
【００７５】
複数の画質モードを手動で選択する方法は、スキャナドライバに標準で用意される多数の読み取り画質モードから、複数の画質モードを手動で選択する方式である。
【００７６】
例えば、図８に画質モードを手動で選択する際のＵＩの一例を示すように、リストボックスが２つ用意されており、左側のリクエストボックス２に、選択可能なすべての画質モードがリストされる。
【００７７】
そして、１つを選択して［追加］ボタン３を押すことにより、右側リクエストボックス４のリストに選択された画質モードが追加される。また右側のリスト内のある画質モードを選択して［削除］ボタン５を押すことにより、右側のリストボックスから削除される。
【００７８】
このような作業を繰り返して、右側のリストボックスに、利用する画質モードをリストすることにより、複数の読み取り画質モードを決定する。
【００７９】
予めシステムに登録された複数の画質モードを自動で読み出して選択する方法では、スキャナドライバは、図８を用いて説明したように、手動で選択された複数の画質モードを保存する機能を持ち、保存された画質モードの組み合わせを次回の読み取り時に使用する。この方法では、再度選択する手間を省くことができる。
【００８０】
過去の読み取り作業の傾向に従って、画質モードの優先順位を学習し、上位数種類を自動で選択する方法では、
【００８１】
画質モードの選択回数を記録し、その情報を元に今回の画質モードの組み合わせを自動的に決定(学習)する。学習方式として、例えば、図９に示すように、過去に使用された回数の上位いくつかを選択する方法や、図１０に示すように、時間の要素も加味して、過去数回の読み取り操作に限定して、そのうち上位いくつかを選択する方法があり、過去数回の選択状況を利用する方法では、最近の読み取り作業のパターンを今回の読み取りに反映することができる。
【実施例４】
【００８２】
本実施例では、プレビュー表示するイメージの選択方式について説明する。
【００８３】
管理ソフトでページのプレビュー表示を行う際、初期状態で表示されるイメージの選択方法としては、例えば、文書全体に対して設定される優先画質モードで読み取ったイメージを表示する方式と、あるページ範囲に対して優先画質モードを設定しておき、ページ範囲ごとに異なった画質モードのイメージが表示される方式と、ページごとにセグメンテーションアルゴリズムによるＴ／Ｉ(テキスト／イメージ)分離を行い、各領域を評価した結果、一番高い評価点を得たイメージを自動選択して表示する方式とがある。
【００８４】
優先画質モードで読み取ったイメージを表示する方式では、スキャナドライバで指定する複数の読み取り画質モードのうち１つを優先画質モードとしてユーザが指定する。
【００８５】
例えば、図８に画質モード指定ＵＩの一例を示すように、画質モード指定で選択された画質モードのリストで、一番上にあるものをスキャナドライバで自動的に優先画質モードとして設定し、優先画質モードで画像処理されたイメージファイルを最初に生成することにより、管理ソフトで優先画質モードのイメージファイルであることを認識して表示する。
【００８６】
この方式では、読み取った文書全体について、固定された１つの優先画質モードでのイメージが、初期状態で表示される。処理は簡単であるが、検品作業時に、文章管理ソフト上でモードの切り替え作業を行う頻度が高くなる。
【００８７】
あるページ範囲に対して優先画質モードを設定しておき、ページ範囲ごとに異なった画質モードのイメージを表示する方式では、あらかじめ読み取る原稿の傾向が分かっている場合に、何ページ目から何ページの範囲は［文字と線画］、次のページから何ページ目は［ハーフトーン画像］などのページ範囲ごとにスキャナドライバで優先画質モードを設定する。
【００８８】
例えば、スキャナドライバでは、生成するイメージファイルと対応する画質モードの対応表とともに、そのページに対する優先画質モードの情報を管理ソフトに渡し、管理ソフトが優先画質モードのイメージファイルを初期状態で表示する。
【００８９】
この方式では、原稿の内容が既知である場合、統一した画質モードで表示する場合に比べて、検品作業でのイメージの切り替え作業を行う頻度が減少する。
【００９０】
ページごとにＴ／Ｉ分離を行い、一番高い評価点を得たイメージを自動選択して表示する方式では、管理ソフトに渡されたページごとに複数のイメージから、Ｔ／Ｉ分離処理を利用して最適なモードを自動選択する。
【００９１】
例えば、画像処理済みのイメージファイルとともに、スキャナで光学的に読み取られたＲＡＷイメージデータが、そのままスキャナドライバからソフトウエアに入力され、そのＲＡＷイメージデータをテキスト領域とイメージ領域に分離する一般的なＴ／Ｉ分離処理を行い、テキストとイメージ領域がページ全体に占める割合を元に、最も近い画像処理済みイメージを選択する。
【００９２】
図１１は、Ｔ／Ｉ分離を行ってプレビュー表示の画質モードを選択する方式を示す概念図である
【００９３】
同図に示すように、例えば、あらかじめ［文字と線画］モードは、テキスト／イメージ領域比を９:１に、［写真］モードは１:９に、［写真とテキスト］モードは６:４と、システムにおいて固定で定義されていたとする。
【００９４】
［文字と線画］［写真］［写真とテキスト］モードが読み取り時に指定されていた場合に、画像処理済みの３つのイメージファイルとともにドライバから渡されたＲＡＷイメージデータをＴ／Ｉ分離処理して、その割合が７:３であれば、最も近い［写真とテキスト］モードのイメージファイルを初期状態で表示する。
【実施例５】
【００９５】
図１２は、本発明に係る画像文書管理システムを用いて原稿を読み取り、電子的に管理する際の処理の一例を示すフローチャートである。
【００９６】
まず、原稿がＡＤＦにセットされる（ステップ１００）と、読み取りを行う画質モードを複数選択する（ステップ１０１）。
【００９７】
そして、原稿を読み取り（ステップ１０２）、イメージデータを保存し（ステップ１０３）、選択された画質モードのイメージデータを作成する（ステップ１０４）。
【００９８】
ここで、各画質モードのイメージデータを１ページに関連付け、文書としてイメージデータを登録する（ステップ１０５）。
【００９９】
また、文書データが読み取り作業を行うオペレータから検品作業を行うオペレータに受け渡される（ステップ１０６）。
【０１００】
そして、イメージデータの検品を行い（ステップ１０７）、イメージの画質に問題がない（ステップ１０８でＹＥＳ）と、処理を終了し、イメージの画質に問題があると（ステップ１０８でＮＯ）、イメージの切り替えを行う（ステップ１０９）。
【０１０１】
このようの本実施例では、不良画質のイメージが検品作業中に見つかったとしても、検品作業を行っているオペレータがイメージデータを変更することができるため、作業効率の低下を大幅に改善することができる。
【図面の簡単な説明】
【０１０２】
【図１】本発明における画像文書管理システムの一例を示す概略構成図
【図２】プレビューを表示する際のＵＩの一例を示す図
【図３】本発明における文書フォーマットの構成を示すブロック図
【図４】ＲＡＷイメージデータをホストＰＣにデータ転送する方式を示す概念図
【図５】ＲＡＷイメージデータをホストＰＣにデータ転送する方式を示す概念図
【図６】ＲＡＷイメージデータをホストＰＣにデータ転送する方式を示す概念図
【図７】非同期転送制御方式の処理の流れを示す概念図
【図８】画質モードを手動で選択する際のＵＩの一例を示す図
【図９】画質モードの選択方法を示す図
【図１０】画質モードの選択方法を示す図
【図１１】Ｔ／Ｉ分離を行って画質モードを選択する方式を示す概念図
【図１２】本発明に係る画像文書管理システムを用いて原稿を読み取り、電子的に管理する際の処理の一例を示すフローチャート
【図１３】従来の原稿を読み取り電子的に管理する際の処理を示すフローチャート
【符号の説明】
【０１０３】
１…イメージ切り替えボタン
２…左側リクエストボックス
３…［追加］ボタン
４…右側リクエストボックス
５…［削除］ボタン
１０…読み取り作業用のホストＰＣ
２０…検品作業用のホストＰＣ
３０…画像形成装置
４０…ネットワーク
５０…スキャナ
５１…ＡＤＦ
【図１】
2006094036.tif 000003
【図２】
2006094036.tif 000004
【図３】
2006094036.tif 000005
【図４】
2006094036.tif 000006
【図５】
2006094036.tif 000007
【図６】
2006094036.tif 000008
【図７】
2006094036.tif 000009
【図８】
2006094036.tif 000010
【図９】
2006094036.tif 000011
【図１０】
2006094036.tif 000012
【図１１】
2006094036.tif 000013
【図１２】
2006094036.tif 000014
【図１３】
2006094036.tif 000015